(57)【要約】本発明は再生制御を管理するためのデータ構造を有する記録媒体とそれによる記録及び再生方法及び装置に関する。前記記録媒体のデータ構造は情報ファイルを保存するナビゲーション領域を含む。前記情報ファイルはタイトルの一つまたは複数の再生経路を示す複数のナビゲーションセグメントを含む。前記ナビゲーションセグメントはそれぞれ少なくとも一つのナビゲーションコマンドを含み、前記ナビゲーションセグメントはそれぞれプレイリストを開始するためのナビゲーションコマンドを含む。前記ナビゲーションセグメントのうち一つは前記タイトルのエントリーナビゲーションセグメントである。
2006518907.tif 000002
【特許請求の範囲】
【請求項１】
記録媒体の再生制御を管理するためのデータ構造を有する記録媒体において、
タイトルの一つまたは複数の再生経路を示す複数のナビゲーションセグメントを含む情報ファイルを保存するナビゲーション領域を具備し、前記ナビゲーションセグメントはそれぞれ少なくとも一つのナビゲーションコマンドを含み、前記ナビゲーションセグメントはそれぞれプレイリストを開始するためのナビゲーションコマンドを含み、前記ナビゲーションセグメントの一つは前記タイトルのエントリーナビゲーションセグメントであることを特徴とする記録媒体。
【請求項２】
請求項１に記載の記録媒体において、
前記一つまたは複数の再生経路途中の少なくとも一つのブランチポイントは開始したプレイリストの境界で発生することを特徴とする記録媒体。
【請求項３】
請求項２に記載の記録媒体において、
前記一つまたは複数の再生経路途中の各ブランチポイントは開始したプレイリストの境界で発生することを特徴とする記録媒体。
【請求項４】
請求項３に記載の記録媒体において、
前記ナビゲーションセグメントのそれぞれは他のプレイリストを開始するためのナビゲーションコマンドを含むことを特徴とする記録媒体。
【請求項５】
請求項４に記載の記録媒体において、
前記タイトルの前記一つまたは複数の再生経路を示す前記ナビゲーションセグメントのそれぞれはプレイリストを開始するためのナビゲーションコマンドを含むことを特徴とする記録媒体。
【請求項６】
請求項５に記載の記録媒体において、
開始したプレイリストはそれぞれクリップファイルの少なくとも一部を再生するためのナビゲーション情報を含むことを特徴とする記録媒体。
【請求項７】
請求項６に記載の記録媒体において、
少なくとも一つのプレイリストを保存するプレイリストディレクトリを保存するプレイリスト領域と、
少なくとも一つのクリップ情報ファイルを保存するクリップ情報ファイルディレクトリと、
少なくとも一つのクリップファイルを保存するストリームディレクトリとをさらに具備することを特徴とする記録媒体。
【請求項８】
請求項１に記載の記録媒体において、
前記ナビゲーションセグメントのそれぞれは他のプレイリストを開始するためのナビゲーションコマンドを含むことを特徴とする記録媒体。
【請求項９】
請求項１に記載の記録媒体において、
前記タイトルの前記一つまたは複数の再生経路を示す前記ナビゲーションセグメントのそれぞれはプレイリストを開始するためのナビゲーションコマンドを含むことを特徴とする記録媒体。
【請求項１０】
請求項９に記載の記録媒体において、
前記タイトルの前記一つまたは複数の再生経路を示す前記ナビゲーションセグメントのそれぞれは他のプレイリストを開始するためのナビゲーションコマンドを含むことを特徴とする記録媒体。
【請求項１１】
請求項１に記載の記録媒体において、
開始したプレイリストはそれぞれクリップファイルの少なくとも一部を再生するためのナビゲーション情報を含むことを特徴とする記録媒体。
【請求項１２】
請求項１に記載の記録媒体において、
少なくとも一つのプレイリストを保存するプレイリストディレクトリを保存するプレイリスト領域と、
少なくとも一つのクリップ情報ファイルを保存するクリップ情報ファイルディレクトリと、
少なくとも一つのクリップファイルを保存するストリームディレクトリとをさらに具備することを特徴とする記録媒体。
【請求項１３】
記録媒体の再生制御を管理するためのデータ構造を記録する方法であって、
タイトルの一つまたは複数の再生経路を示す複数のナビゲーションセグメントを含む情報ファイルを記録媒体に記録する段階を含み、
前記ナビゲーションセグメントはそれぞれ少なくとも一つのナビゲーションコマンドを含み、前記ナビゲーションセグメントはそれぞれプレイリストを開始するためのナビゲーションコマンドを含み、前記ナビゲーションセグメントの一つは前記タイトルのエントリーナビゲーションセグメントであることを特徴とする方法。
【請求項１４】
記録媒体の再生制御を管理するためのデータ構造を再生する方法であって、
タイトルの一つまたは複数の再生経路を示す複数のナビゲーションセグメントを含む情報ファイルを記録媒体から再生する段階を含み、
前記ナビゲーションセグメントはそれぞれ少なくとも一つのナビゲーションコマンドを含み、前記ナビゲーションセグメントはそれぞれプレイリストを開始するためのナビゲーションコマンドを含み、前記ナビゲーションセグメントの一つは前記タイトルのエントリーナビゲーションセグメントであることを特徴とする方法。
【請求項１５】
記録媒体の再生制御を管理するためのデータ構造を記録する装置であって、
前記記録媒体にデータを記録する光記録手段を駆動する駆動器と、
タイトルの一つまたは複数の再生経路を示す複数のナビゲーションセグメントを含む情報ファイルを記録媒体に記録するように前記駆動器を制御する制御器とを具備し、
前記ナビゲーションセグメントはそれぞれ少なくとも一つのナビゲーションコマンドを含み、前記ナビゲーションセグメントはそれぞれプレイリストを開始するためのナビゲーションコマンドを含み、前記ナビゲーションセグメントの一つは前記タイトルのエントリーナビゲーションセグメントであることを特徴とする装置。
【請求項１６】
記録媒体の再生制御を管理するためのデータ構造を再生する装置であって、
記録媒体に記録されたデータを再生する光再生手段を駆動する駆動器と、
タイトルの一つまたは複数の再生経路を示す複数のナビゲーションセグメントを含む情報ファイルを記録媒体から再生するように前記駆動器を制御する制御器を具備し、
前記ナビゲーションセグメントはそれぞれ少なくとも一つのナビゲーションコマンドを含み、前記ナビゲーションセグメントはそれぞれプレイリストを開始するためのナビゲーションコマンドを含み、前記ナビゲーションセグメントの一つは前記タイトルのエントリーナビゲーションセグメントであることを特徴とする装置。
【発明の詳細な説明】
【技術分野】
【０００１】
本発明は少なくとも一つのタイトルに対する再生制御を管理するためのデータ構造を有する記録媒体、前記データ構造を再生および記録するための装置及び方法に関する。
【背景技術】
【０００２】
最近、高画質のビデオデータや高音質のオーディオデータを高容量記録できる新しい高密度再生専用および再起録可能光ディスクに対する規格化作業が急速に展開されており、再起録可能ブルーレイディスク（ＢＤ−ＲＥ：Ｂｌｕ−ｒａｙ  Ｄｉｓｃ  Ｒｅｗｒｉｔａｂｌｅ）のような新しい光ディスクと関連した製品がまもなく商用化されることと期待されている。
【０００３】
図１は、再起録可能ブルーレイディスク（ＢＤ−ＲＥ）のファイル構造を示したものである。前記ファイル構造またはデータ構造は前記ＢＤ−ＲＥに記録されるビデオ・オーディオデータの再生を管理するために提供される。図１に示したように、データ構造は少なくとも一つ以上の‘ＢＤＡＶ’ディレクトリ（Ｄｉｒｅｃｔｏｒｙ）を有するルートディレクトリを含む。前記‘ＢＤＡＶ’ディレクトリには‘ｉｎｆｏ．ｂｄａｖ’、‘ｍｅｎｕ．ｔｉｄｘ’、‘ｍａｒｋ．ｔｉｄｘ’、‘＊．ｒｐｌｓ’及び‘＊．ｖｐｌｓ’のようなプレイリストファイルが貯蔵されるＰＬＡＹＬＩＳＴサブディレクトリ（ｓｕｂｄｉｒｅｃｔｏｒｙ）、‘＊．ｃｌｐｉ’のようなクリップ情報ファイルが貯蔵されるＣＬＩＰＩＮＦサブディレクトリ、そして前記クリップ情報ファイルに対応するＭＰＥＧ−２フォーマットのＡ／Ｖストリームクリップファイルが貯蔵されるＳＴＲＥＡＭサブディレクトリが含まれる。図１は、前記ディスクのデータ構造だけでなくディスクの領域を表現する。例えば、‘ｉｎｆｏ．ｂｄａｖ’のような一般情報ファイルは前記ディスクの一般情報領域に貯蔵される。
【０００４】
図１に図示したＢＤ−ＲＥのデータ構造とディスクフォーマットは広く知られており容易に利用できるので、以後ファイル構造に対しては簡単に説明する。
【０００５】
前述したように、ＳＴＲＥＡＭディレクトリにはクリップ（Ｃｌｉｐ）またはクリップファイルと呼ばれるＭＰＥＧ−２フォーマットのＡ／Ｖストリームファイルが含まれて、またブリッジ−クリップＡ／Ｖストリームファイル（Ｂｒｉｄｇｅ−ｃｌｉｐ  Ａ／Ｖ  ｓｔｒｅａｍ  ｆｉｌｅ）という特別なタイプのクリップも含まれることができる。ブリッジ−クリップファイルはクリップファイルのうちから選択された二つまたはそれ以上の再生区間をシームレスに連結するために使われ、一般に前記クリップに比べて大きさが小さい。前記Ａ／Ｖストリームにはビデオ・オーディオデータに対するソースパケット（Ｓｏｕｒｃｅ  Ｐａｃｋｅｔｓ）が含まれる。例えば、前記ビデオ・オーディオデータに対するソースパケットにはヘッダー（Ｈｅａｄｅｒ）と伝送パケット（Ｔｒａｎｓｐｏｒｔ  Ｐａｃｋｅｔ）が含まれる。一つのソースパケットには自身をアクセスするための住所役割をするソースパケット番号（ＳＰＮｓ：Ｓｏｕｒｃｅ  Ｐａｃｋｅｔ  Ｎｕｍｂｅｒｓ）が含まれるが、前記ソースパケット番号は一般に順次に番号が割り当てられる。伝送パケットには一つのパケットＩＤ（ＰＩＤ：Ｐａｃｋｅｔ  Ｉｄｅｎｔｉｆｉｅｒ）が含まれるが、前記ＰＩＤは伝送パケットが属する一連の伝送パケット（Ｓｅｑｕｅｎｃｅ  ｏｆ  Ｔｒａｎｓｐｏｒｔ  Ｐａｃｋｅｔｓ）を識別し、前記一連の伝送パケットにある各伝送パケットはＰＩＤが同じである。以後、前記一連の伝送パケットを伝送パケットシーケンスという。
【０００６】
前記ＣＬＩＰＩＮＦディレクトリには各Ａ／Ｖストリームファイルに連係するクリップ情報ファイルが含まれる。前記クリップ情報ファイルは連係するＡ／Ｖストリームのタイプ、シーケンス情報（Ｓｅｑｕｅｎｃｅ  Ｉｎｆｏｒｍａｔｉｏｎ）、プログラム情報、およびタイミング情報を指す。前記シーケンス情報は到着時間基準（Ａｒｒｉｖａｌ  Ｔｉｍｅ  Ｂａｓｉｓ、ＡＴＣ）シーケンスとシステム時間基準（Ｓｙｓｔｅｍ  Ｔｉｍｅ  Ｂａｓｉｓ、ＳＴＣ）シーケンスを記述する。例えば、前記シーケンス情報はシーケンスの数、各シーケンスの開始と終わり時間情報、各シーケンスにおける第一のソースパケットの住所、そして各シーケンスにある伝送パケットのＰＩＤを指す。プログラムのコンテンツが続く伝送パケットシーケンスはプログラムシーケンスと呼ばれる。前記プログラム情報はプログラムシーケンスの個数、各プログラムシーケンスの開始住所、そしてプログラムシーケンスにある伝送パケットのＰＩＤを指す。
【０００７】
タイミング情報は特徴ポイント情報（ＣＰＩ：Ｃｈａｒａｃｔｅｒｉｓｔｉｃ  Ｐｏｉｎｔ  Ｉｎｆｏｒｍａｔｉｏｎ）と呼ばれる。前記ＣＰＩの一形態がエントリーポイントマップ（Ｅｎｔｒｙ  Ｐｏｉｎｔ（ＥＰ）Ｍａｐ）である。前記ＥＰマップは、例えば、到着時間ＡＴＣ及び／またはシステム時間ＳＴＣを基準にして、ソースパケットの住所（例えば、ソースパケットの番号）に対するタイムスタンプ（Ｔｉｍｅ  Ｓｔａｍｐ）を表示する。前記プレゼンテーションタイムスタンプ（ＰＴＳ）とソースパケット番号（ＳＰＮ）はＡ／ＶストリームのＥＰと関連する。すなわち、前記ＰＴＳと関連したＳＰＮはＡ／Ｖストリーム上のＥＰを指し示す。前記指し示されるパケットはたびたびエントリーポイントパケットと呼ばれる。
【０００８】
ＰＬＡＹＬＩＳＴディレクトリには一つまたは複数のプレイリストファイルが含まれる。プレイリストは再生のためのクリップを容易に編集したり組み合わせるために導入された概念である。プレイリストファイルはクリップにある再生区間（Ｐｌａｙｉｎｇ  Ｉｎｔｅｒｖａｌｓ）の集合であって、各再生区間はプレイアイテム（Ｐｌａｙｉｔｅｍ）と呼ばれる。前記プレイリストファイルはプレイリストを形成する各プレイアイテムを識別し、各プレイアイテムは、クリップファイルの時間軸上の位置（例えば、ＡＴＣまたはＳＴＣ基準でのプレゼンテーションタイムスタンプ（ＰＴＳｓ：Ｐｒｅｓｅｎｔａｔｉｏｎ  Ｔｉｍｅ  Ｓｔａｍｐ））を指すＩＮ−ｐｏｉｎｔとＯＵＴ−ｐｏｉｎｔの対である。換言すれば、プレイリストファイルはプレイアイテムを識別して、各プレイアイテムは一つのクリップまたはその一部を指してクリップと連係するクリップ情報ファイルを識別する。前記クリップ情報ファイルは前記プレイアイテムをソースパケットのクリップに連結（Ｍａｐ）するために使われる。
【０００９】
ＰＬＡＹＬＩＳＴディレクトリには実プレイリスト（Ｒｅａｌ  Ｐｌａｙｌｉｓｔ）（＊．ｒｐｌｓ）と仮想プレイリスト（Ｖｉｒｔｕａｌ  Ｐｌａｙｌｉｓｔ）（＊．ｖｐｌｓ）が含まれることができる。実プレイリストはクリップだけを用いてブリッジ−クリップは用いることができない。すなわち、実プレイリストはクリップの一部を参照することと見なされるので、概念的にディスク上でクリップの一部を参照することと同と見なされる。仮想プレイリストはクリップとブリッジ−クリップをすべて用いることができるので、実プレイリストの概念は仮想プレイリストと併行しない。
【００１０】
‘ｉｎｆｏ．ｂｄａｖ’ファイルは光ディスクに記録されるＡ／Ｖストリームの再生を管理する一般的な情報を提供する一般情報ファイルであって、さらに詳細には同じＢＤＡＶディレクトリのＰＬＡＹＬＩＳＴディレクトリにあるプレイリストのファイル名を識別するプレイリストのテーブルを含む。
【００１１】
‘ｍｅｎｕ．ｔｉｄｘ’、‘ｍｅｎｕ．ｔｄｔ１’、及び‘ｍｅｎｕ．ｔｄｔ２’ファイルはメニューｔｈｕｍｂｎａｉｌｓと関連した情報を貯蔵する。‘ｍａｒｋ．ｔｉｄｘ’、‘ｍａｒｋ．ｔｄｔ１’、及び‘ｍａｒｋ．ｔｄｔ２’ファイルはマークｔｈｕｍｂｎａｉｌｓと関連した情報を貯蔵する。このようなファイルは本発明と直接的な関連がないので、これ以上詳細な説明は省略する。
【００１２】
最近にはブルーレイロム（ＢＤ−ＲＯＭ：Ｂｌｕ−ｒａｙ  ＲＯＭ）のような高密度再生専用光ディスクに対する規格化作業が進行中にある。しかし、ＢＤ−ＲＯＭのような高密度再生専用光ディスクに記録されるタイトルまたは複数のタイトルの再生を管理するデータ構造に対する効率的な解決方案がまだ用意されていない。
【発明の開示】
【発明が解決しようとする課題】
【００１３】
したがって、本発明は前記のような実情を勘案して創作されたものであって、本発明による記録媒体には前記記録媒体に記録された少なくとも一つのタイトルに対する再生制御を管理するためのデータ構造が含まれる。
【課題を解決するための手段】
【００１４】
本発明の一実施形態で、ナビゲーション領域はタイトルの一つまたは複数の再生経路を示す複数のナビゲーションセグメントを含む情報ファイルを保存する。前記ナビゲーションセグメントはそれぞれ少なくとも一つのナビゲーションコマンドを含む。複数の前記ナビゲーションセグメントはそれぞれプレイリストを開始するためのナビゲーションコマンドを含み、前記ナビゲーションセグメントのうち一つは前記タイトルのエントリーナビゲーションセグメントである。
【００１５】
一実施形態で、前記一つまたは複数の再生経路途中の各ブランチポイントは開始したプレイリストの境界で発生する。他の実施形態で、前記タイトルの前記一つまたは複数の再生経路を形成する前記ナビゲーションセグメントのそれぞれはプレイリストを開始するためのナビゲーションコマンドを含む。
【００１６】
また、本発明によるデータ構造を記録して再生するための装置と方法がさらに提供される。
【００１７】
上記の特徴及び他の利点は、添付の図面と関連した以下の説明から明瞭に理解されるであろう。
【発明を実施するための最良の形態】
【００１８】
以下、本発明に対する望ましい実施形態に対して、添付した図面を参照しながら詳細に説明する。
【００１９】
本発明による高密度光ディスク、例えばＢＤ−ＲＯＭ、ＢＤ−ＲＥのような高密度記録媒体は、例えばビデオ及びオーディオデータの再生を管理するファイルまたはデータ構造を有する。本発明によるデータ構造は一部の側面でＢＤ−ＲＥの標準と同様なので、同様の部分は説明を省略する。代わりに、簡単のため本発明によるデータ構造で異なる部分のみを詳細に説明する。
【００２０】
プログラム、ビデオ、及びオーディオデータは一般的に個別タイトルで編成されている。例えば、ビデオ・オーディオデータにより表現される他の映画は異なるタイトルで編成される。また、タイトルは、本がしばしばチャプター（Ｃｈａｐｔｅｒｓ）で編成されるように、多くのチャプターで編成されることができる。
【００２１】
ＢＤ−ＲＯＭとＢＤ−ＲＥのような新しい高密度記録媒体の保存容量が非常に大きいため、異なるタイトル、相互作用する（ｉｎｔｅｒａｃｔｉｖｅ）タイトル、いろいろなバージョンのタイトルがまたは１タイトルの一部が保存されて再生されることができる。例えば、異なるカメラ角度のビデオデータが記録媒体に記録されたり、他の例で、タイトルに対するいろいろなバージョンまたは他の言語と関連された一部も前記記録媒体に記録されることができて、また他の例で、タイトルに対する監督バージョン（Ｄｉｒｅｃｔｏｒ’ｓ  Ｖｅｒｓｉｏｎ）または映画館用バージョンも前記記録媒体に記録されることができる。または、１タイトルの成人バージョン、若年成人バージョン、そして父母が制限することができる青少年バージョンなどが前記記録媒体に記録されることができる。各バージョン、カメラアングルなどは他の再生経路を有し、このような場合のビデオデータは多重再生経路ビデオデータ（Ｍｕｌｔｉｐｌｅ  Ｒｅｐｒｏｄｕｃｔｉｏｎ  Ｐａｔｈ  Ｖｉｄｅｏ  Ｄａｔａ）と呼ばれる。
【００２２】
図２はＢＤ−ＲＯＭのような高密度記録媒体のタイトルの再生制御を管理するためのデータ構造と方法に対する実施形態を示したものである。図２に示したように、ＢＤ−ＲＯＭに記録されるＡ／Ｖストリームはクリップファイルで記録管理されて、前記クリップファイルと連係されるプレイリストは前記クリップファイルの再生制御のために管理される。また、前記プレイリストと連係されるセグメント（Ｓｅｇｍｅｎｔ）が新しく定義され、例えば、複数のセグメントの一部が他の順序で整列されるマルチタイトルが管理される。
【００２３】
記録されたＡ／Ｖストリームクリップファイルを参照するプレイリストはプレイリストレイヤ（ＰｌａｙＬｉｓｔ  Ｌａｙｅｒ）で管理されて、マルチタイトルのようなプレイリストの再生はタイトル再生制御レイヤ（Ｔｉｔｌｅ  Ｐｌａｙｂａｃｋ  Ｃｏｎｔｒｏｌ  Ｌａｙｅｒ）で管理される。したがって、前記クリップファイル、プレイリスト、及びマルチタイトルは別個に管理される。
【００２４】
図２で、第１タイトル（Ｔｉｔｌｅ  ＃１）は一定な順序で相互に連結された第１セグメント（Ｓｅｇｍｅｎｔ  １）ないし第７セグメント（Ｓｅｇｍｅｎｔ  ７）を含み、ここで第２及び第３セグメント（Ｓｅｇｍｅｎｔ  ２、３）はブランチ（Ｂｒａｎｃｈ）構造（ブランチマルチパス構造）を形成し、第５、第６、及び第７セグメント（Ｓｅｇｍｅｎｔ  ５、６、７）はマルチパス（Ｍｕｌｔｉ−ｐａｔｈ）を形成する。セグメントは記録媒体の再生と関連する少なくとも一つのナビゲーションコマンド（Ｃｏｍｍａｎｄ）を提供するナビゲーションコマンドフィールド（Ｆｉｅｌｄ）である。例えば、前記エントリーセグメント、すなわち第１Ｓｅｇｍｅｎｔは第１プレイリスト（ＰｌａｙＬｉｓｔ  １）の再生に対するナビゲーションコマンドを提供する。前記第２Ｓｅｇｍｅｎｔと第３Ｓｅｇｍｅｎｔは第２プレイリスト（ＰｌａｙＬｉｓｔ  ２）と第３プレイリスト（ＰｌａｙＬｉｓｔ  ３の）再生に対するナビゲーションコマンドをそれぞれ提供する。反面、前記第２プレイリスト（ＰｌａｙＬｉｓｔ  ２）は第２クリップ（Ｃｌｉｐ  ２）の全体Ａ／Ｖストリームの再生を参照して制御し、前記第３プレイリスト（ＰｌａｙＬｉｓｔ  ３）は前記第２クリップ（Ｃｌｉｐ  ２）のＡ／Ｖストリームの一部だけの再生を参照して制御する。
【００２５】
同様に、第５、第６、及び第７セグメント（Ｓｅｇｍｅｎｔ  ５、６、７）はそれぞれ第５、第６、及び第７プレイリスト（ＰｌａｙＬｉｓｔ  ５、６、７）の再生に対するナビゲーションコマンドを提供する。先に説明したように、前記第５、第６、及び第７セグメント（Ｓｅｇｍｅｎｔ  ５、６、７）は他の再生経路に対するナビゲーション情報を提供する。例えば、前記第５プレイリスト（ＰｌａｙＬｉｓｔ  ５）により参照されるＡ／Ｖストリームは韓国用であり、前記第６プレイリスト（ＰｌａｙＬｉｓｔ  ６）により参照されるＡ／Ｖストリームは米国用であり、前記第７プレイリスト（ＰｌａｙＬｉｓｔ  ７）により参照されるＡ／Ｖストリームは日本用であることが可能である。
【００２６】
図２に示したように、一つまたは複数の再生経路途中の各ブランチポイントは開始したプレイリストの境界で発生する。
【００２７】
図２の第２タイトル（Ｔｉｔｌｅ  ＃２）は、補助タイトルまたは別途のタイトルとして記録管理されることができる。前記第２タイトル（Ｔｉｔｌｅ  ＃２）で、第２、第３、及び第４セグメント（Ｓｅｇｍｅｎｔ  ２、３、４）はブランチ構造を形成して、第５、第６、及び第７セグメント（Ｓｅｇｍｅｎｔ  ５、６、７）はマルチパスを形成する。前記第２タイトルは前記第１タイトルと連係されるプレイリストを含んだりまたは新しいプレイリストを含むこともできる。やはり、一つまたは複数の再生経路途中の各ブランチポイントは開始したプレイリストの境界で発生する。
【００２８】
前記第２タイトルに含まれるセグメントに対する再生順序と再生制御情報は、‘Ｊａｖａ（登録商標）  Ｓｃｒｉｐｔｏｒ’のようなプログラム（Ｐｒｏｇｒａｍ）により記録されることができ、前記第１タイトルに含まれるセグメントに対する再生順序と再生制御情報はコマンド（Ｃｏｍｍａｎｄ）により記録されることができる。主要（ｍａｉｎ）Ａ／Ｖデータの再生だけのためのタイトルはコアプロファイル（Ｃｏｒｅ  Ｐｒｏｆｉｌｅ）タイトルで区分されて、監督指示事項（Ｄｉｒｅｃｔｏｒ’ｓ  Ｃｏｍｍｅｎｔａｒｙ）等のような付加的なコンテンツを有するタイトルはフルプロファイル（Ｆｕｌｌ  Ｐｒｏｆｉｌｅ）タイトルで区分される。
【００２９】
前記のようなタイトルはＢＤ−ＲＯＭのファイル構造（Ｆｉｌｅ  Ｓｔｒｕｃｔｕｒｅ）に所属された‘ＴＩＴＬＥ’ディレクトリ内に保存されることができる。図３は‘ＴＩＴＬＥ’ディレクトリを含むデータ構造に対する例を示したものである。図３に示したように、例えば、ルートディレクトリの下にＢＤ−ＲＯＭディレクトリをおいて、ＢＤ−ＲＯＭディレクトリには‘０１００１．ｖｔｓ’というタイトルファイルが置かれたＴＩＴＬＥディレクトリが含まれる。
【００３０】
前記タイトルファイル‘０１００１．ｖｔｓ’内に含まれるナビゲーション情報、例えばＶＴＳＩは、ユーザーインターフェースアプリケーション情報（ＵＩＡｐｐＩｎｆＴｉｔｌｅ）、タイトルセグメントテーブル（ＴａｂｌｅＯｆＴｉｔｌｅ  Ｓｅｇｍｅｎｔ）などを含むことができる。前記タイトルセグメントテーブルに含まれた第１タイトルセグメント（Ｔｉｔｌｅ  Ｓｅｇｍｅｎｔ  １）のような各タイトルセグメントは、プレイリストポインタ（ＰｌａｙＬｉｓｔ  Ｐｏｉｎｔｅｒ）、プレイリストプレコマンド（ＰＬ  Ｐｒｅ−ＣＭＤｓ）、プレイリストポストコマンド（ＰＬＰｏｓｔ−ＣＭＤｓ）、及び該当プレイリストに含まれたプレイアイテムに対応するプレイアイテムコマンド（ＰＩ−ＣＭＤｓ）を含むことができる。
【００３１】
前記プレイリストポインタ（ＰｌａｙＬｉｓｔ  Ｐｏｉｎｔｅｒ）は、ＰＬＡＹＬＩＳＴディレクトリに含まれた複数のプレイリスト*．ｒｐｌｓ  ｏｒ*．ｖｐｌｓのうち任意の１プレイリストに前記タイトルを連結するための特別情報であって、プレイリストの名前または番号がプレイリストポイントに保存される。図３で、第１タイトルセグメント（Ｔｉｔｌｅ  Ｓｅｇｍｅｎｔ  １）に対するプレイリストポインタは第１プレイリスト（ＰｌａｙＬｉｓｔ  １）を指し示す。
【００３２】
前記プレイリストプレコマンド（ＰＬ  Ｐｒｅ−ＣＭＤ）は、前記プレイリストに対応するＡ／Ｖデータの再生のための初期（Ｉｎｉｔｉａｌｉｚａｔｉｏｎ）情報を含み、前記プレイリストポストコマンド（ＰＬ  Ｐｏｓｔ_ＣＭＤ）は、前記プレイリストの再生を終了するとき使われる情報を含む。
【００３３】
タイトルセグメントは一つのプレイリストまたは複数のプレイリストと連係されることができるが、後者の場合、タイトルセグメントは複数のプレイリストポインタを含む。
【００３４】
前記プレイリストに含まれるプレイアイテムは、ＣＬＩＰＩＮＦディレクトリに含まれたクリップ情報ファイル*．ｃｌｐｉと連係される。前記クリップ情報ファイルはそれぞれＳＴＲＥＡＭディレクトリに含まれたクリップファイル*．ｍ２ｔｓと順に連係される。
【００３５】
図４は本発明によるデータ構造の実施形態を示したものである。図４に示したように、ルート（Ｒｏｏｔ）ディレクトリの下にＢＤ−ＲＯＭディレクトリを含み、前記ＢＤ−ＲＯＭディレクトリは、ＰＬＡＹＬＩＳＴディレクトリ、ＣＬＩＰＩＮＦディレクトリ、ＳＴＲＥＡＭディレクトリと共にタイトルファイル*．ｖｔｓを含むＴＩＴＬＥディレクトリを含む。
【００３６】
前記タイトルファイル内に含まれるＶＴＳＩは、図３を参照しながら前述したことがある‘ＵＩＡｐｐＩｎｆｏＴｉｔｌｅ’と‘ＴａｂｌｅＯｆＴｉｔｌｅＳｅｇｍｅｎｔ’が含まれる。前記‘ＴａｂｌｅＯｆＴｉｔｌｅＳｅｇｍｅｎｔ’情報はタイトルセグメントのリストを含む。各タイトルセグメントは一つまたは複数のプレイリストファイルと連係される。図４で、第２セグメントは第２プレイリストと連係されて、前記第２プレイリストに含まれたプレイアイテムは前記ＣＬＩＰＩＮＦディレクトリに保存されたクリップ情報ファイル*．ｃｌｐｉと連係される。前記クリップ情報ファイルは前記ＳＴＲＥＡＭディレクトリに含まれたクリップファイル*．ｍ２ｔｓと連係される。
【００３７】
図５は本発明が適用される光ディスク再生装置の一部に対する構成を示したものである。図５に示したように、前記光ディスク装置は、光ディスクからデータを再生する光ピックアップ１１１を含む。ＶＤＰ（Ｖｉｄｅｏ  Ｄｉｓｃ  Ｐｌａｙ）システム１１２は、前記光ピックアップ１１１の再生動作を制御して、前記光ピックアップ１１１により再生されるデータを復調する。前記ＶＤＰシステム１１２はＡＶストリームを再生し、前記ＡＶストリームはＤ／Ａ変換器１１３に供給されてアナログＡＶストリームに変換することもできる。
【００３８】
前記ＶＤＰシステム１１２は、本発明の実施形態によって、ユーザーインターフェースを介したユーザー入力と光ディスクに記録されたナビゲーション及び管理情報を基礎にして、光ピックアップ１１１を制御して再生されるデータを復調する。再生の間、前記再生されるナビゲーション／管理情報はメモリー１１４に保存されることができる。前記ＶＤＰシステム１１２は、タイトルファイル内に含まれたセグメントを参照してタイトルを再生することによって、Ａ／Ｖストリームを多様な順序で再生することができる。プレイリストはタイトルセグメントに含まれたプレイリストポインタ（ＰｌａｙＬｉｓｔ  Ｐｏｉｎｔｅｒ）によりアクセスされる。
【００３９】
前記タイトルセグメントに含まれたプレイリストプレコマンド（ＰＬ  Ｐｒｅ−ＣＭＤｓ）を参照して初期動作を遂行した後、前記光ディスク装置は各プレイアイテムコマンド（ＰＩ−ＣＭＤｓ）に連係されるＡ／Ｖストリームを再生する。前記Ａ／Ｖストリームを再生した後、前記光ディスク装置は、前記プレイリストポストコマンド（ＰＬ  Ｐｏｓｔ  ＣＭＤｓ）に基づき、ブランチでタイトルセグメントを選択するなどの次の過程を遂行する。
【００４０】
一方、前記ＴＩＴＬＥディレクトリは、主要Ａ／Ｖデータのみを有するコアプロファイル（Ｃｏｒｅ  Ｐｒｏｆｉｌｅ）タイトルファイルと主要Ａ／Ｖデータと共に付加的なコンテンツを有するフルプロファイル（Ｆｕｌｌ  Ｐｒｏｆｉｌｅ）タイトルファイルをすべて含むことができる。または、コアプロファイルタイトルファイルとフルプロファイルタイトルファイルが別個のディレクトリに貯蔵されることもできる。例えば、フルプロファイルタイトルファイルはＦＵＬＬＴＩＴＬＥディレクトリに保存されることができる。
【００４１】
前記ＢＤ−ＲＯＭディレクトリは、フルプロファイルタイトルファイルを構成する、監督指示事項のような多様なコンテンツが保存されるＣＯＴＥＮＴＳディレクトリを含むことができる。前記コンテンツファイルに対するナビゲーション情報はフルプロファイルタイトルファイルに記録されて、多様なコンテンツが主要Ａ／Ｖデータと共に再生されることができる。
【００４２】
図６は本発明による光ディスク記録及び再生装置の一実施形態の概略図である。Ａ／Ｖエンコーダー９は、データ（例えば、ムービービデオとオーディオデータまたはただオーディオデータだけ、及び／または停止映像データ）を受け取ってエンコーディングして、コーディング情報とストリーム属性情報と共に多重化装置（Ｍｕｌｔｉｐｌｅｘｅｒ）８に出力する。多重化装置８は、例えば、ＭＰＥＧ−２伝送ストリーム（ＭＰＥＧ−２  ｔｒａｎｓｐｏｒｔ  ｓｔｒｅａｍ）を作るために、前記受け取ったコーディング情報とストリーム属性情報を基礎にして前記エンコーディングされたデータを多重化する。ソース・パケッタイザー（Ｓｏｕｒｃｅ  ｐａｃｋｅｔｉｚｅｒ）７は前記多重化装置８から入力される伝送パケットを光ディスクのオーディオビデオフォーマットに合うソースパケットでパケット化する。図６に示したように、前記Ａ／Ｖエンコーダー９、前記多重化装置８、そして前記ソース・パケッタイザー７の動作は制御器１０により操作される。前記制御器１０がユーザーから記録命令を受信すると、前記Ａ／Ｖエンコーダー９、前記多重化装置８、そして前記ソース・パケッタイザー７に制御情報を送る。例えば、前記制御器１０は、前記Ａ／Ｖエンコーダー９に実行するエンコーディングタイプを指示して、前記多重化装置８に作るべき伝送ストリームを指示し、そして前記ソース・パケッタイザー７にソースパケットのフォーマットを指示する。また、前記制御器１０は光ディスクに前記ソース・パケッタイザー７の出力を記録できるように駆動器３を制御する。
【００４３】
また、前記制御器１０は光ディスクに記録されているデータの再生を管理するためのナビゲーション情報と管理情報を作りだす。例えば、ユーザーインターフェース（ディスクに貯蔵されているかコンピュータシステムによりイントラネットまたはインターネットを介して提供する命令語）を介して受けた情報を基礎にして、前記制御器１０は前記光ディスクに図２ないし図４のデータ構造のうち一つまたは複数を記録するように前記駆動器３を制御する。
【００４４】
再生の間、前記制御器１０はデータ構造を再生するように前記駆動器３を制御する。すなわち、ディスクに含まれた情報とユーザーインターフェース（例えば、記録及び再生装置の操作ボタンまたは前記装置と関連した遠隔操作）を介して受けたユーザー入力を基礎にして、前記制御器１０は前記光ディスクからデータを再生するように前記駆動器３を制御する。例えば、本発明の実施形態を参照にして説明したように、一つの停止映像または一群の停止映像が、前記ナビゲーション情報を基礎にして、ムービービデオとオーディオデータと連係してまたはオーディオデータとだけ連係して再生されることができる。また、一つの停止映像または一群れの停止映像がスライドショーまたはスライドショーの一部で再生されることもできる。やはり説明されたように、スライドショーは同期されて再生されたりブラウズできる。
【００４５】
ソース・デパケッタイザー（Ｓｏｕｒｃｅ  Ｄｅｐａｃｋｅｔｉｚｅｒ）４は再生されたソースパケットを受け取ってＭＰＥＧ−２伝送パケットストリームのようなデータストリームに変換する。多重分離装置（Ｄｅｍｕｌｔｉｐｌｅｘｅｒ）５は前記データストリームをエンコーディングされたデータに逆多重化する。Ａ／Ｖデコーダー６はエンコーディングされたデータをデコーディングしてエンコーダー９に供給された元のデータを作る。再生の間、前記ソース・デパケッタイザー４、前記多重分離装置５、および前記Ａ／Ｖデコーダー６の動作は前記制御器１０により操作される。前記制御器１０がユーザーから再生命令を受信すると、前記ソース・デパケッタイザー４、前記多重分離装置５、および前記Ａ／Ｖデコーダー６に制御情報を送る。例えば、前記制御器１０は、前記ソース・デパケッタイザー４にソースパケットのフォーマットを指示して、前記多重化装置５に逆多重化する伝送ストリームを指示し、そして前記Ａ／Ｖデコーダー６に実行するデコーディングタイプを指示する。
【００４６】
図６には記録と再生装置に関して図示しているが、図６の構成要素一部だけで記録動作または再生動作だけ提供する専用記録装置または専用再生装置も可能である。
【００４７】
本発明による高密度記録媒体の再生制御を管理するためのデータ構造と方法により、ＢＤ−ＲＯＭのような高密度記録媒体に記録されたデータストリームを效果的に選択して再生することができるようになる。
【００４８】
上記の説明から明らかなように、本発明は記録媒体の再生制御を管理するためのデータ構造を高密度記録媒体に記録されるための方法と装置を提供する。
【００４９】
以上、本発明を制限された数の実施形態に関して説明したが、前述した本発明の望ましい実施形態は例示の目的のために開示されたものであって、前記ＢＤ−ＲＯＭ以外の他の光ディスクにも拡大適用が可能であり、また当業者ならば添付された特許請求範囲に開示された本発明の技術的思想とその技術的範囲内で、多様な他の実施形態を改良、変更、代替または付加などが可能である。
【図面の簡単な説明】
【００５０】
【図１】再記録可能ブルーレイディスク（ＢＤ−ＲＥ）の規格による再記録可能光ディスクのファイルまたはデータ構造を示した図である。
【図２】ＢＤ−ＲＯＭのような高密度記録媒体の再生制御を管理するためのデータ構造と方法に対する実施形態を示した図である。
【図３】ＴＩＴＬＥディレクトリを含むデータ構造の例を示した図である。
【図４】本発明によるデータ構造の他の実施形態を示した図である。
【図５】本発明が適用される光ディスク再生装置の一部に対する構成の概略図である。
【図６】本発明による光ディスク記録及び再生装置の一実施形態を示した図である。
【図１】
2006518907.tif 000003
【図２】
2006518907.tif 000004
【図３】
2006518907.tif 000005
【図４】
2006518907.tif 000006
【図５】
2006518907.tif 000007
【図６】
2006518907.tif 000008
【国際調査報告】
2006518907.tif 000009